(57)【要約】    【課題】  本発明の課題は、風雨に対する法面の保護、台風・豪雪に対する家屋の保護等の防災用に使用され、災害を未然に防止することが可能な法面保護シートを提供することにある。    【解決手段】  本発明に関わる法面保護シートは、法面Ｔ１、Ｔ３を覆い防護する法面保護シートｓｉjであって、外面の一部に上方に開口ｐ1を有する固定袋部ｐと、法面Ｔ１、Ｔ３または他の法面保護シートｓｉjに取り付けるための取り付け部ｈ1と、法面保護シートｓｉj間を相互に連結するための連結部ｔ1、ｔ2とを備えることを特徴としている。    【選択図】  図１
2005036603.tif 000002
【特許請求の範囲】
【請求項１】
法面を覆い防護する法面保護シートであって、
外面の一部に上方に開口を有する固定袋部と、
法面または他の法面保護シートに取り付けるための取り付け部と、
法面保護シート間を相互に連結するための連結部と
を備えることを特徴とする法面保護シート。
【請求項２】
前記固定袋部は、上部を留める留め部を具え、少なくとも１側端部を空いて配置され、
前記取り付け部を上部に、前記連結部を裏面の下部に備える
ことを特徴とする請求項１に記載の法面保護シート。
【請求項３】
前記連結部は、法面保護シート間を連結するための安定棒と該安定棒が挿通する連結挿通部とを具え、
前記取り付け部は、安定棒を挿通し得る取り付け挿通部を具え、
安定棒を、法面保護シートの前記連結挿通部と他の法面保護シートの前記取り付け挿通部とを挿通させて法面保護シート間を連結する
ことを特徴とする請求項２に記載の法面保護シート。
【請求項４】
前記安定棒は、外周面上に雄ねじが形成された第１安定棒と外周面上に雄ねじが形成された第２安定棒と内径面に前記第１安定棒および第２安定棒の雄ねじに螺合する雌ねじが形成された円筒状の安定棒継手とを備え、
前記安定棒継手に前記第１安定棒と第２安定棒とが螺着され、前記安定棒継手に対して前記第１安定棒または第２安定棒を回動することにより前記安定棒の長さを調整する
ことを特徴とする請求項３に記載の法面保護シート。
【請求項５】
前記取り付け部は、孔を具え、
前記連結部は、法面保護シートに揺動自在に取り付けられ、前記孔の径寸法より長い連結部材を具え、
法面保護シートの前記連結部材を他の法面保護シートの対応する前記孔に入れることにより、法面保護シート間を連結する
ことを特徴とする請求項２に記載の法面保護シート。
【発明の詳細な説明】
【技術分野】
【０００１】
本発明は、堤防などの盛り土斜面の法面、山肌を保護したり、家屋の屋根が飛んだ場合に被害家屋を保護するための法面保護シートに関する。
【背景技術】
【０００２】
堤防などの盛り土斜面の法面、山間部の崖等は、多量の降雨により地盤中に雨水がしみ込み、地盤が軟弱となり崩壊し、地すべり、山崩れ等が発生し、土石流となって下方に滑落する場合がある。
【０００３】
このような土石流による災害の発生を防止するため、従来、法面を複数のハトメが端部に設置された各種の科学繊維シートで覆い、該ハトメに土嚢をぶら下げ重しとしている。
【発明の開示】
【発明が解決しようとする課題】
【０００４】
ところで、上述の科学繊維シートは、土嚢をぶら下げ重しとしているが、面積が大きい場合、強風にあおられ、土嚢は固定手段としては力が弱く、安定性に欠ける場合がある。
【０００５】
そのため、該科学繊維シートが強風にあおられた際、地肌が露出してしまい地盤への雨水の浸透を防止することが困難であり、その対策が求められている。
【０００６】
一方、台風に際して家屋の屋根が飛んだり、豪雪による家屋の損壊等の災害に対し、被害を未然に若しくは最小限にくい留める方策に乏しいのが現状である。
【０００７】
本発明は上記実状に鑑み、風雨に対する法面の保護、台風・豪雪に対する家屋の保護等の防災用に使用され、災害を未然に防止することが可能な法面保護シートの提供を目的とする。
【課題を解決するための手段】
【０００８】
上記目的を達成するべく、本発明の請求項１に関わる法面保護シートは、法面を覆い防護する法面保護シートであって、外面の一部に上方に開口を有する固定袋部と、法面または他の法面保護シートに取り付けるための取り付け部と、法面保護シート間を相互に連結するための連結部とを備えることを特徴としている。
【０００９】
また、本発明の請求項２に関わる法面保護シートは、請求項１に記載の法面保護シートにおいて、前記固定袋部は、上部を留める留め部を具え、少なくとも１側端部を空いて配置され、前記取り付け部を上部に、前記連結部を裏面の下部に備えることを特徴としている。
【００１０】
また、本発明の請求項３に関わる法面保護シートは、請求項２に記載の法面保護シートにおいて、前記連結部は、法面保護シート間を連結するための安定棒と該安定棒が挿通する連結挿通部とを具え、前記取り付け部は、安定棒を挿通し得る取り付け挿通部を具え、安定棒を、法面保護シートの前記連結挿通部と他の法面保護シートの前記取り付け挿通部とを挿通させて法面保護シート間を連結することを特徴としている。
【００１１】
また、本発明の請求項４に関わる法面保護シートは、請求項３に記載の法面保護シートにおいて、前記安定棒は、外周面上に雄ねじが形成された第１安定棒と外周面上に雄ねじが形成された第２安定棒と内径面に前記第１安定棒および第２安定棒の雄ねじに螺合する雌ねじが形成された円筒状の安定棒継手とを備え、前記安定棒継手に前記第１安定棒と第２安定棒とが螺着され、前記安定棒継手に対して前記第１安定棒または前記第２安定棒を回動することにより前記安定棒の長さを調整することを特徴としている。
【００１２】
また、本発明の請求項５に関わる法面保護シートは、請求項２に記載の法面保護シートにおいて、前記取り付け部は、孔を具え、前記連結部は、法面保護シートに揺動自在に取り付けられ、前記孔の径寸法より長い連結部材を具え、法面保護シートの前記連結部材を他の法面保護シートの対応する前記孔に入れることにより、法面保護シート間を連結することを特徴としている。
【発明の効果】
【００１３】
本発明の請求項１に関わる法面保護シートによれば、法面または他の法面保護シートに取り付けるための取り付け部と、法面保護シート間を相互に連結するための連結部とを備えるので、複数の法面保護シートを連結することにより任意の面積を覆い防護することができる。
【００１４】
また、法面保護シートの外面の一部に上方に開口を有する固定袋部を有するので、開口を通して固定袋部内に砂利等を入れ、法面保護シートの重しとすることができる。
【００１５】
また、降雨に際し、雨水が固定袋部の上方の開口を通して固定袋部内に入り、重しとしての作用を発揮することができる。
【００１６】
本発明の請求項２に関わる法面保護シートによれば、固定袋部は、上部を留める留め部を具えるので、固定袋部に砂利等の重しを入れた場合に開口が大きく開き、内部の砂利等の重しが漏出することを防止できる。
【００１７】
また、固定袋部は、少なくとも１側端部を空いて配置され、また、取り付け部を上部に、連結部を裏面の下部に備えるため、法面保護シートの１側端部上に他の法面保護シートを重ねて設置し、且つ、裏面の下部の連結部と他の法面保護シートの上部の取り付け部とを連結して法面保護シートを重ねて設置することができるため、法面を露出部することなく法面保護シートにより完全に覆うことが可能である。
【００１８】
本発明の請求項３に関わる法面保護シートによれば、安定棒を、法面保護シートの連結挿通部と他の法面保護シートの取り付け挿通部とを挿通させて法面保護シート間を連結するので、安定棒により容易に法面保護シート間を連結することができる。
【００１９】
また、安定棒により法面保護シート間を連結するため、安定棒により法面保護シートが抑えられ確実に法面上に設置することができる。
【００２０】
本発明の請求項４に関わる法面保護シートによれば、安定棒は、外周面上に雄ねじが形成された第１安定棒と外周面上に雄ねじが形成された第２安定棒と内径面に第１安定棒および第２安定棒の雄ねじに螺合する雌ねじが形成された円筒状の安定棒継手とを備えるので、第１安定棒と第２安定棒とに分解することが可能であり、第１安定棒と第２安定棒とを短い状態で取り扱い、または持ち運ぶことができ、取り扱い性、運搬性に優れる。
【００２１】
また、安定棒継手に対して第１安定棒または第２安定棒を回動することにより安定棒の長さを調整することができるため、安定棒の取り付け、取り外しが容易で作業性に優れる。
【００２２】
また、本発明の請求項５に関わる法面保護シートによれば、法面保護シートの連結部材を他の法面保護シートの対応する孔に入れることにより、法面保護シート間を連結するので、法面保護シート間の連結が容易であり、確実に連結できる。
【００２３】
また、法面保護シート間の連結を外すには、他の法面保護シートの孔に入れた法面保護シートの連結部材を、該孔より取り出すことにより容易に法面保護シート間の連結を外すことができる。
【発明を実施するための最良の形態】
【００２４】
以下、実施例１、実施例２を用いて本発明を適用した最良の形態を説明する。
【実施例１】
【００２５】
図１に、本発明の実施例１である法面保護シートｓｉj(ｉ、j＝1、２、３、…)を河川の堤防Ｔの防護に用いた例を示す。
【００２６】
堤防Ｔの斜面(法面)Ｔ１は、堤防Ｔの頂面Ｔ２上に固設された複数の固定杭ｋに取り付られた法面保護シートｓ11、法面保護シートｓ11に取り付けられる法面保護シートｓ12、および法面保護シートｓ12に取り付けられる法面保護シートｓ13、…、また、複数の固定杭ｋに取り付られた法面保護シートｓ21、法面保護シートｓ21に取り付けられる法面保護シートｓ22、および法面保護シートｓ22に取り付けられる法面保護シートｓ23、…等により覆われ、雨水から防護されている。
【００２７】
ここで、図１中の手前から１列目の法面保護シートｓ11、法面保護シートｓ12、法面保護シートｓ13、…は、堤防ｔの下流Ｋr側に敷設し、また、図１中の手前から２列目の法面保護シートｓ21、法面保護シートｓ22、法面保護シートｓ23、…は、１列目の法面保護シートｓ11の重ね部(１側端部)ｓ11k、法面保護シートｓ12の重ね部(１側端部)ｓ12k、法面保護シートｓ13の重ね部(１側端部)ｓ13k、…上に重ね、堤防ｔの上流Ｊr側に敷設されている。
【００２８】
このように、堤防ｔの上流Ｊr側に敷設する法面保護シートｓ21、ｓ22、ｓ23、…を、下流Ｋr側に敷設する法面保護シートｓ11、ｓ12、ｓ13、…上に重ねることにより、堤防Ｔの斜面Ｔ１を、複数の法面保護シートにより完全に覆い、また、河川の水流により法面保護シートｓｉjがまくれることが防止されている。
【００２９】
上述の法面保護シートｓ11、ｓ12、ｓ13、…、ｓ21、ｓ22、ｓ23、…は、同一の形状に構成されているため、法面保護シートｓ11の構成についてのみ説明を行い、他の法面保護シートの構成についての説明は省略する。
【００３０】
法面保護シートｓ11は、法面等を風雨から防護するため、化学繊維を素材とし高強度に生産されるシートであり、例えば、作業者が軽く２〜３枚を持ち運べる等より、縦５．４ｍ、横３．６ｍの大きさおよび３〜４ｋｇの重さを有している。
【００３１】
なお、法面保護シートの大きさ、重さは、上記数値に限定されず、適宜、選択できることは言うまでもない。
【００３２】
法面保護シートｓ11の外面側の上部には、図１のＡ部拡大図である図２、シートの外面図である図４(ａ)に示すように、開口(孔)を有するハトメ(取り付け部)ｈ1が複数、ハトメ補強部ｈが加熱融着され設置されている。
【００３３】
また、法面保護シートｓ11の下部には、図３に示すように、シート下部の一部を上側に折返して加熱融着して造られる荷重ポケット(固定袋部)ｐが、シートの重しとする、砂利、砂、水等を入れるために設けられている。
【００３４】
荷重ポケットｐは、法面保護シートｓ11の外面側において、図１に示すように、横方向に隣接する法面保護シートが上側に重ねられる重ね部ｓ11kを除いて一方側の側方に偏奇して設けられており、０．１立方メートル(１００ｋｇ)位の水が入る容積を有している。
【００３５】
荷重ポケットｐは、上方部に砂利、砂、水等の重しを入れる入り口となる開口ｐ1、ｐ1、ｐ1を有しており、下方部を含むその他の部分は、水、砂等を入れた際に漏れることの無きよう封水されている。
【００３６】
また、荷重ポケットｐにおける開口ｐ1、ｐ1、ｐ1間には、ポケット仕切り(留め部)ｐ2、ｐ2がシート材を互いに融着して形成され、荷重ポケットｐの上部が法面保護シートｓ11に留められている。
【００３７】
このポケット仕切りｐ2、ｐ2により、荷重ポケットｐの入り口が分割して開口されることになり、荷重ポケットｐに水、砂利等の重しが入れられた際に開口ｐ1、ｐ1、ｐ1が広がり、水、砂利等の重しがこぼれることがない。
【００３８】
なお、荷重ポケットｐは、法面保護シートｓ11の素材を折返して造る例を例示したが、別の素材で荷重ポケットｐを製造して法面保護シートｓ11素材上に融着して設けてもよい。
【００３９】
法面保護シートｓ11の裏面側には、シートの裏面図である図４(ｂ)に示すように、Ｔ型連接材(連結部、連結部材)ｔ1が複数個、連接ロープ(連結部)ｔ2に繋がれ設置されており、該連接ロープｔ2は、シート材に加熱融着された合成樹脂製等の連接ロープ補強固定部ｔ3によりシート材に固定されている。
【００４０】
法面保護シートｓ11と法面保護シートｓ12相互間の連結状態を示す図５に示すように、法面保護シートｓ12の上側に重ねられた法面保護シートｓ11の裏面側の複数のＴ型連接材ｔ1が、法面保護シートｓ12上部の対応するハトメｈ1内にそれぞれ入れられることにより、法面保護シートｓ11と法面保護シートｓ12とが上下方向に連結されている。
【００４１】
ここで、Ｔ型連接材ｔ1の長手方向の一側端面と連接ロープｔ2間寸法を、ハトメｈ1の開口の径寸法より大きく設定すれば、ハトメｈ1内に入れられたＴ型連接材ｔ1が該ハトメｈ1内から、人手を介さず抜け出ることが防止され、より好適である。
【００４２】
このようにして、図１に示す如く、法面保護シートｓ11、法面保護シートｓ12、法面保護シートｓ13、…が、上下方向に連結されており、同様に、法面保護シートｓ21、法面保護シートｓ22、法面保護シートｓ23、…が、上下方向に連結されており、各法面保護シートは、このようにして上下方向に連結されている。
【００４３】
次に、法面保護シートｓｉjを用いて、図１に示す河川の堤防Ｔを防護する方法について説明する。
【００４４】
まず、図１に示すように、堤防Ｔの頂面Ｔ２上に、固定杭ｋを複数本、必要な数固設する。
【００４５】
続いて、図２に示すように、堤防Ｔの頂面Ｔ２上の複数の固定杭ｋに、Ｔ型連接材ｔbが固着されたシート固定ロープｒをそれぞれ取り付け、そして、Ｔ型連接材ｔbを、法面保護シートｓ11の上部の複数のハトメｈ1にそれぞれ入れ、複数の固定杭ｋに法面保護シートｓ11を取り付け、堤防Ｔの斜面Ｔ１上に載置する。
【００４６】
続いて、図５に示すように、法面保護シートｓ11の荷重ポケットｐ裏面の下方に法面保護シートｓ12の上部を重ね、法面保護シートｓ11のＴ型連接材ｔ1、ｔ1、ｔ1、…を、対応する法面保護シートｓ12のハトメｈ1、ｈ1、ｈ1、…にそれぞれ傾けつつ挿入して、法面保護シートｓ11と法面保護シートｓ12とを上下方向に連結し、法面保護シートｓ12を堤防Ｔの斜面Ｔ１上に載置する。
【００４７】
そして、法面保護シートｓ11の荷重ポケットｐに土砂を入れる。
【００４８】
続いて、図５と同様に、法面保護シートｓ12の荷重ポケットｐ裏面の下方に法面保護シートｓ13の上部を重ね、法面保護シートｓ12のＴ型連接材ｔ1を法面保護シートｓ13のそれぞれ対応するハトメｈ1、ｈ1、ｈ1、…内に傾けつつ挿入し、法面保護シートｓ12と法面保護シートｓ13とを上下方向に連結する。
【００４９】
そして、法面保護シートｓ12の荷重ポケットｐに土砂を入れる。
【００５０】
以下、同様な方法により、法面保護シートｓ13、ｓ14、ｓ15、…を連結しつつ、各法面保護シートｓ1jの荷重ポケットｐに土砂を入れる作業を交互に繰り返して、上下方向に連続して連結された一組の法面保護シートｓ11、ｓ12、ｓ13、…から成る法面保護シート体ｃ1を堤防Ｔの斜面Ｔ１上に組み付ける。
【００５１】
次に、法面保護シートｓ21を、図１に示すように、法面保護シートｓ11に対して河川の上流Ｊr側における法面保護シートｓ11の重ね部ｓ11k上に重ね、図２と同様に、堤防Ｔの頂面Ｔ２上の複数の固定杭ｋに取り付けたＴ型連接材ｔbを、法面保護シートｓ21上部の複数のハトメｈ1内にそれぞれ入れ、固定杭ｋに法面保護シートｓ21を取り付け、法面保護シートｓ11の重ね部ｓ11k上および堤防Ｔの斜面Ｔ１上に載置する。
【００５２】
続いて、法面保護シートｓ22を、法面保護シートｓ12の重ね部ｓ12k上に重ねるとともに、その上部を法面保護シートｓ21の荷重ポケットｐ裏面の下方に重ね、図５と同様に、法面保護シートｓ21のＴ型連接材ｔ1、ｔ1、ｔ1、…を、法面保護シートｓ22の対応するハトメｈ1、ｈ1、ｈ1、…内にそれぞれ傾けつつ挿入して、法面保護シートｓ21と法面保護シートｓ22とを上下方向に連結し、法面保護シートｓ22を、法面保護シートｓ12の重ね部ｓ12k上および堤防Ｔの斜面Ｔ１上に載置する。
【００５３】
次いで、法面保護シートｓ21の荷重ポケットｐに土砂を入れる。
【００５４】
続いて、法面保護シートｓ23を、法面保護シートｓ13の重ね部ｓ13k上に重ねるとともに、その上部を法面保護シートｓ22の荷重ポケットｐ裏面の下方に重ね、図５と同様に、法面保護シートｓ22のＴ型連接材ｔ1、ｔ1、ｔ1、…を、法面保護シートｓ23の対応するハトメｈ1、ｈ1、ｈ1、…内にそれぞれ傾けつつ挿入して、法面保護シートｓ22と法面保護シートｓ23とを上下方向に連結し、法面保護シートｓ23を、法面保護シートｓ13の重ね部ｓ13k上および堤防Ｔの斜面Ｔ１上に載置する。
【００５５】
続いて、法面保護シートｓ22の荷重ポケットｐに土砂を入れる。
【００５６】
以下、同様な方法により、法面保護シートｓ24、ｓ25、ｓ26、…を、連結しつつ各荷重ポケットｐに土砂を入れることを繰り返して、上下方向に連続して連結された一組の法面保護シートｓ21、ｓ22、ｓ23、…から成る法面保護シート体ｃ2を、法面保護シート体ｃ1における法面保護シートｓ11の重ね部ｓ11k、法面保護シートｓ12の重ね部ｓ12k、法面保護シートｓ13の重ね部ｓ13k上、…および堤防Ｔの斜面Ｔ１上に組み付ける。
【００５７】
以下、同様な方法を用いて、法面保護シートｓｉjの組み付けとそれぞれの荷重ポケットｐに土砂を入れることにより、堤防Ｔの斜面Ｔ１上の任意の面積の必要な場所を法面保護シートで覆うことができる。
【００５８】
なお、本実施例では、法面保護シートｓｉjの各荷重ポケットｐに重しとして砂利を入れる場合を例示したが、水等のその他の物を用いてもよい。
【００５９】
なお、上述の方法においては、まず、法面保護シートｓ11を固定杭ｋに取り付け、その後、法面保護シートｓ11にｓ12、ｓ13、…を連結し組付けて法面保護シート体ｃ1を組み上げ、その後、法面保護シートｓ21を固定杭ｋに取り付け、その後、法面保護シートｓ21にｓ22、ｓ23、…を連結して組付けて法面保護シート体ｃ2を組み上げる方法を例示したが、法面保護シート体ｃ1、ｃ2、…を、まず組み上げ、その後に固定杭ｋに法面保護シート体ｃ1、ｃ2、…を順次、取り付けてもよい。
【００６０】
上記構成によれば、法面保護シートｓｉjを上下方向に互いに重ねて連結し、且つ、法面保護シートｓｉ+1jを隣接する法面保護シートｓｉjの重ね部ｓｉjk上に重ねて載置するため、防護面を露出することなく任意の面積を確実に覆うことが可能である。
【００６１】
また、法面保護シートｓｉjは、上方に開口ｐ1、ｐ1、ｐ1を有する荷重ポケットｐを備えるため、容易に砂利、砂、水等の重しとなるものを入れることができ、確実に各法面保護シートｓｉjを法面に設置することができる。
【００６２】
加えて、組み付けた法面保護シートｓｉj上に降雨があった場合、それぞれの荷重ポケットｐは上方に開口ｐ1を有するため、雨水が開口ｐ1から荷重ポケットｐ内に入り、法面保護シートｉjの重しとしての効果を発揮できる。
【００６３】
また、荷重ポケットｐは、その上部がポケット仕切りｐ2、ｐ2により法面保護シートｓ11に留められているため、荷重ポケットｐに砂利、水等の重しが入れられた場合に開口ｐ1、ｐ1、ｐ1が広がり、砂利、水等の重しが漏出することが防止される。
【００６４】
また、法面保護シートｓｉjのＴ型連接材ｔ1を、他の法面保護シートｓｉjの対応するハトメｈ1、…内に入れ連結するので、確実に連結され、また、簡単に取り外すことができる。
【００６５】
また、河川の堤防において、上流側の法面保護シートを下流側の法面保護シート上に重ねて組付ける構成であるので、河川の水流によって法面保護シートがまくれ上がることが防止できる。
【００６６】
また、法面保護シートｓｉjは、同一の構成を有するため、生産的に有利でコストも低い。
【００６７】
また、固定杭ｋに取り付けるシート固定ロープｒに固着されるＴ型連接材ｔbと、法面保護シートｓｉjのＴ型連接材ｔ1とは、同一の形状に構成でき同一の部材を使用することが可能で、大量生産できコストが低廉である。
【００６８】
なお、上述の実施例では、堤防Ｔの斜面Ｔ１を法面保護シートｓｉjで覆う構成を例示したが、家屋の屋根が台風で飛んだ場合に、屋根が飛んだ箇所に法面保護シートｓｉjを組み付けて覆うこともできる。
【００６９】
例えば、図１に示すように、堤防Ｔの斜面Ｔ１の反対側の斜面(法面)Ｔ３に対して、前述と同様な方法により、堤防ｔの頂面ｔ２上の複数の固定杭ｋに、法面保護シート体ｃ8の法面保護シートｓ81を組み付け、また、法面保護シート体ｃ8に重ねて法面保護シート体ｃ9の法面保護シートｓ91を組み付け、堤防Ｔの斜面Ｔ３を法面保護シート体ｃ8、ｃ9で覆うことができる。
【００７０】
このような堤防Ｔの斜面Ｔ１、Ｔ３を法面保護シートｓｉjで覆う方法を適用して、家屋の屋根が飛んだ箇所を法面保護シートｓｉjで覆えるものである。
【００７１】
また、法面保護シートｓｉjの素材にコーティングを施して超撥水性に構成し、豪雪地帯における家屋の屋根を覆えば、雪が超撥水性の法面保護シートｓｉj上を滑走して落下し、降雪による家屋の倒壊等の災害を未然に防止することが可能である。
【００７２】
このように、法面保護シートｓｉjは、台風、積雪による災害の防止に対しても適用可能であり、土木用・養生用・気象災害用等、その他の様々な用途に適用可能である。
【実施例２】
【００７３】
図６に、本発明の実施例２である法面保護シート２ｓｉj(ｉ、j＝1、２、３、…)を河川の堤防Ｔ′の斜面(法面)Ｔ1′の防護に用いた例を示す。
【００７４】
実施例２の法面保護シート２ｓｉj(ｉ、j＝1、２、３、…)は、実施例１の法面保護シートｓｉjの上部のハトメｈ１に代替して、外面図である図９(ａ)に示すように、複数の上部安定棒ベルト(取り付け部)ｕbを設け、また、実施例１の法面保護シートｓｉj裏面の連接ロープｔ2に結ばれたＴ型連接材ｔ1に代替して、裏面図である図９ (ｂ)に示すように、法面保護シート２ｓｉj裏面の下部に複数の一対の下部安定棒ベルト(連結部)ｓbとその両側端部に安定棒固定袋ｋf、ｋfを設けている。
【００７５】
これらの各法面保護シート２ｓｉjは、安定棒ａn(n＝１、２、３、…)(後述)を用いて互いに上下方向に連結されている。
【００７６】
上記以外の構成は、実施例１の法面保護シートｓｉjの構成と同様であるので、同一の構成要素にはその符号に′を付して示し説明を省略する。
【００７７】
実施例２の各法面保護シート２ｓｉjは、同一の構成を有するため、法面保護シート２ｓ11の構成についてのみ説明を行う。
【００７８】
法面保護シート２ｓ11の外面上部には、図９ (ａ)、図６のＢ部拡大図である図７に示すように、シート固定ロープｒ′または安定棒ａnが挿通される安定棒挿通部(取り付け挿通部)ｕb1を有する上部安定棒ベルトｕbが、融着固定部ｕb2により融着され複数、直線状に固定されている。
【００７９】
法面保護シート２ｓ11の裏面下部、すなわち荷重ポケット(固定袋部)ｐ′の裏面には、図９(ｂ)に示すように、1対の下部安定棒ベルトｓbが、直線状に４箇所、安定棒ａnが挿通される安定棒挿通部(連結挿通部)ｓb1を有して融着固定部ｓb2により融着され固定されている。
【００８０】
また、その両側端部には、該安定棒挿通部ｓb1を挿通する安定棒ａnの両端部が挿入される安定棒固定袋ｋf、ｋfが、図６のＣ部、Ｄ部の要部破断拡大図である図８に示すように、内方に開口ｋf1を有して安定棒挿通部ｓb1と１直線状に融着されている。
【００８１】
ここで、各法面保護シート２ｓｉjは、図６に示すように、１の法面保護シートにおける裏面下部の下部安定棒ベルトｓbの安定棒挿通部ｓb1と下側に連結される他の法面保護シートの外面上部の上部安定棒ベルトｕbの安定棒挿通部ｕb1とに１本の安定棒ａnを挿通して上下方向に１列に連結される構成である。
【００８２】
例えば、図６、図８に示すように、法面保護シート２ｓ11と法面保護シート２ｓ12とを連結するに際し、法面保護シート２ｓ11の裏面下部の下部安定棒ベルトｓbの安定棒挿通部ｓb1と下側に連結される法面保護シート２ｓ12の外面上部の上部安定棒ベルトｕbの安定棒挿通部ｕb1とに１本の安定棒ａ1を挿通して上下方向に連結している。
【００８３】
そのため、図８に示すように、各法面保護シート２ｓｉj外面上部の各上部安定棒ベルトｕb(図９(ａ)参照)は、上側に重ねて連結される他の法面保護シートの裏面下部の1対の下部安定棒ベルトｓbに挟まれる位置関係に配置されており、また、各法面保護シート２ｓｉj裏面下部に設置される各1対の下部安定棒ベルトｓb(図９(ｂ)参照)は、その下側に重ねて連結される他の法面保護シートの外面上部の上部安定棒ベルトｕbを挟むような位置関係に配置されている。
【００８４】
なお、上部安定棒ベルトｕb、下部安定棒ベルトｓb、および安定棒固定袋ｋfを、法面保護シート２ｓ11に融着して取り付ける例を例示したが、融着する代わりに縫い込んで取り付けてもよい。
【００８５】
安定棒ａn(n＝１、２、３、…)は、図６に示すように、２つの法面保護シート２ｓｉjを上下方向に互いに連結する部材であり、例えば、安定棒ａ1により法面保護シート２ｓ11と法面保護シート２ｓ12とを連結し、安定棒ａ2により法面保護シート２ｓ12と法面保護シート２ｓ13とを連結し、安定棒ａ21により法面保護シート２ｓ21と法面保護シート２ｓ22とを連結している。
【００８６】
安定棒ａnは、図１０に示すように、第１安定棒ａn1と第２安定棒ａn2、および第１安定棒ａn1、第２安定棒ａn2間を連結する安定棒継手ａn3とから構成されている。
【００８７】
第１安定棒ａn1と第２安定棒ａn2は、例えば、φ１３の異形鉄筋で構成され、その外周面に雄ねじである台形ネジが形成された棒状の部材であり、また、安定棒継手ａn3は、これらの台形ネジに螺合する雌ねじである台形ネジが内径面に形成された円筒状の部材である。
【００８８】
安定棒ａnは、第１安定棒ａn1と第２安定棒ａn2とが安定棒継手ａn3を介して連結され、安定棒継手ａn3に対して第１安定棒ａn1または第２安定棒ａn2を回動させることにより安定棒ａn全体の長さを調整することができるように構成されている。
【００８９】
また、安定棒ａnは、第１安定棒ａn1または第２安定棒ａn2を安定棒継手ａn3から取り外し分解できる構成であり、第１安定棒ａn1と第２安定棒ａn2とを同じ長さに設定すれば、組み付け前の運搬時においては、第１安定棒ａn1、第２安定棒ａn2を分解して持ち運べば、その長さが短く持ち運びし易い。
【００９０】
例えば、安定棒ａnが、全体で約３５０ｍｍの長さを有する場合、第１安定棒ａn1と第２安定棒ａn2とを２等分するような長さに構成すれば、分解状態では、第１安定棒ａn1、第２安定棒ａn2は１７５ｍｍ程度の長さで短く、持ち運びに便利である。
【００９１】
安定棒ａnの使用に際しては、安定棒継手ａn3に対して第１安定棒ａn1または第２安定棒ａn2を回動させて安定棒ａnの全体長さを、図９(ｂ)に示す安定棒固定袋ｋfの開口ｋf1間距離ｌ1より短く調整し、安定棒ａnの取り付け状態の概念図である図１１、図８に示すように、下部安定棒ベルトｓbの安定棒挿通部ｓb1と上部安定棒ベルトｕbの安定棒挿通部ｕb1とを挿通させつつ安定棒ａnの長さを伸張して、最後に、安定棒ａnの長さを安定棒固定袋ｋfの開口ｋf1間距離ｌ1より長くして取り付けを終了する。
【００９２】
次に、法面保護シート２ｓｉjを用いて、図６に示す河川の堤防Ｔ′の斜面Ｔ1′を防護する方法について説明する。
【００９３】
まず、図６に示すように、堤防Ｔ′の頂面Ｔ２′上に、固定杭ｋ′を複数本、必要な数、固設する。
【００９４】
続いて、図７に示すように、シート固定ロープｒ′を、法面保護シート２ｓ11の各上部安定棒ベルトｕbの安定棒挿通部ｕb1に挿通させて、それぞれ対応する固定杭ｋ′にゆわぎ、法面保護シート２ｓ11を、所定の固定杭ｋ′に組み付け堤防Ｔ′の斜面Ｔ１′上に載置する。
【００９５】
続いて、図６に示すように、法面保護シート２ｓ11の荷重ポケットｐ′裏面の下方に法面保護シート２ｓ12の外面上部を重ね、図８に示すように、法面保護シート２ｓ11裏面(図９(ｂ)参照)の各1対の下部安定棒ベルトｓbが対応する法面保護シート２ｓ12外面の上部安定棒ベルトｕbをそれぞれ挟み込むように配置する。
【００９６】
そして、法面保護シート２ｓ11の安定棒固定袋ｋf、ｋfの開口ｋf1、ｋf1間距離ｌ1(図９(ｂ)参照)より短く調整した安定棒ａ1を、図１１、図８に示すように、法面保護シート２ｓ11裏面の1対の下部安定棒ベルトｓbの安定棒挿通部ｓb1と法面保護シート２ｓ12外面の上部安定棒ベルトｕbの安定棒挿通部ｕb1とを挿通させつつ、安定棒継手ａ13に対して第１安定棒ａ11または第２安定棒ａ12を回動させて伸張し、安定棒ａ1の両端部を法面保護シート２ｓ11裏面の両側端部の安定棒固定袋ｋf、ｋf内にその開口ｋf1から挿入し、法面保護シート２ｓ11と法面保護シート２ｓ12とを安定棒ａ1を介して連結する。
【００９７】
続いて、法面保護シート２ｓ11の荷重ポケットｐ′に開口ｐ1′、ｐ1′、ｐ1′から法面保護シート２ｓ11、２ｓ12の重しとする砂利を入れ、法面保護シート２ｓ11の組み付けを完了する。
【００９８】
続いて、法面保護シート２ｓ12の荷重ポケットｐ′裏面の下方に法面保護シート２ｓ13の外面上部を重ね、図８と同様に、法面保護シート２ｓ12裏面の各1対の下部安定棒ベルトｓbが対応する法面保護シート２ｓ13外面の上部安定棒ベルトｕbをそれぞれ挟み込むように配置する。
【００９９】
続いて、法面保護シート２ｓ12の安定棒固定袋ｋf、ｋfの開口ｋf1、ｋf1間距離ｌ1より短く調整した安定棒ａ2を、図１１に示すように、法面保護シート２ｓ12裏面の1対の下部安定棒ベルトｓbの安定棒挿通部ｓb1と法面保護シート２ｓ13外面の上部安定棒ベルトｕbの安定棒挿通部ｕb1とを挿通させつつ、安定棒継手ａ23に対して第１安定棒ａ21または第２安定棒ａ22を回動させて伸張し、図８と同様に、安定棒ａ2の両端部を法面保護シート２ｓ12裏面(図９(ｂ)参照)の両側端部の安定棒固定袋ｋf、ｋf内にその開口ｋf1から挿入し、法面保護シート２ｓ12と法面保護シート２ｓ13とを安定棒ａ2を介して連結する。
【０１００】
続いて、法面保護シート２ｓ12の荷重ポケットｐ′に開口ｐ1′、ｐ1′、ｐ1′から法面保護シート２ｓ12、２ｓ13の重しとする砂利を入れ、法面保護シート２ｓ12の組み付けを完了する。
【０１０１】
続いて、法面保護シート２ｓ13の荷重ポケットｐ′裏面の下方に法面保護シート２ｓ14の外面上部を重ね、法面保護シート２ｓ13裏面の各1対の下部安定棒ベルトｓbが対応する法面保護シート２ｓ14外面の上部安定棒ベルトｕbをそれぞれ挟み込むように配置する。
【０１０２】
以下、同様にして、法面保護シート２ｓ14、２ｓ15、２ｓ16、…を連結しつつ、その荷重ポケットｐ′に砂利等の重しを入れることを交互に繰り返し、堤防Ｔ′の斜面Ｔ1′上への上下方向に１列の法面保護シート２ｓ11、２ｓ12、２ｓ13、２ｓ14、２ｓ15、…から成る法面保護シート体ｃ1′の組付けを完了する。
【０１０３】
次に、図６に示すように、縦方向に１列の法面保護シート２ｓ11、２ｓ12、２ｓ13、２ｓ14、２ｓ15、…の法面保護シート体ｃ1′の上流側に、法面保護シート体ｃ1′の重ね部(１側端部)ｓ1jk′上に重ねて縦方向に１列に法面保護シート２ｓ21、２ｓ22、２ｓ23、２ｓ24、２ｓ25、…から成る法面保護シート体ｃ2′の組付けを行う。
【０１０４】
まず、法面保護シート２ｓ21を、固定杭ｋ′に組み付けた法面保護シート２ｓ11の重ね部ｓ11k′上に重ねて堤防Ｔ′の斜面Ｔ１′上に置き、シート固定ロープｒ′を法面保護シート２ｓ21の各上部安定棒ベルトｕbの安定棒挿通部ｕb1に挿通させ、それぞれ対応する固定杭ｋ′にゆわいで、法面保護シート２ｓ21を所定の固定杭ｋ′に組み付ける。
【０１０５】
続いて、法面保護シート２ｓ22を、法面保護シート２ｓ12の重ね部ｓ12k′上に重ね、法面保護シート２ｓ21の荷重ポケットｐ′裏面の下方に法面保護シート２ｓ22の外面上部を重ね、図８と同様に、法面保護シート２ｓ21裏面(図９(ｂ)参照)の各1対の下部安定棒ベルトｓbが対応する法面保護シート２ｓ22外面の上部安定棒ベルトｕbをそれぞれ挟み込むように配置する。
【０１０６】
そして、法面保護シート２ｓ21の安定棒固定袋ｋf、ｋfの開口ｋf1、ｋf1間距離ｌ1(図９(ｂ)参照)より短く調整した安定棒ａ21を、図１１に示すように、法面保護シート２ｓ21裏面の1対の下部安定棒ベルトｓbの安定棒挿通部ｓb1と法面保護シート２ｓ22外面の上部安定棒ベルトｕbの安定棒挿通部ｕb1とを挿通させつつ、安定棒継手ａ213に対して第１安定棒ａ211または第２安定棒ａ212を回動させて伸張し、図８と同様に、安定棒ａ21の両端部を法面保護シート２ｓ21裏面の両側端部の安定棒固定袋ｋf、ｋf内にその開口ｋf1から挿入し、法面保護シート２ｓ21と法面保護シート２ｓ22とを安定棒ａ21を介して連結する。
【０１０７】
続いて、法面保護シート２ｓ21の荷重ポケットｐ′に開口ｐ1′、ｐ1′、ｐ1′から法面保護シート２ｓ21、２ｓ22の重しとする砂利を入れ、法面保護シート２ｓ21の組み付けを完了する。
【０１０８】
続いて、法面保護シート２ｓ23を、図６に示すように、法面保護シート２ｓ13の重ね部ｓ13k′上に重ね、法面保護シート２ｓ22の荷重ポケットｐ′裏面の下方に法面保護シート２ｓ23の外面上部を重ね、法面保護シート２ｓ22裏面の各1対の下部安定棒ベルトｓbが対応する法面保護シート２ｓ23外面の上部安定棒ベルトｕbをそれぞれ挟み込むように配置する。
【０１０９】
そして、上述と同様に、安定棒ａ22を介して法面保護シート２ｓ22と法面保護シート２ｓ23とを連結する。
【０１１０】
続いて、法面保護シート２ｓ22の荷重ポケットｐ′に開口ｐ1′、ｐ1′、ｐ1′から法面保護シート２ｓ22、２ｓ23の重しとする砂利を入れ、法面保護シート２ｓ22の組み付けを完了する。
【０１１１】
以下、同様に、法面保護シート２ｓ24、２ｓ25、２ｓ26、…を、法面保護シート２ｓ14、２ｓ15、２ｓ16、…のそれぞれの重ね部ｓ1jk′上に重ねて互いに連結しつつ、荷重ポケットｐ′に砂利を入れることを交互繰り返し、堤防Ｔ′の斜面Ｔ1′上への、上下方向に１列の法面保護シート２ｓ21、２ｓ22、２ｓ23、２ｓ24、２ｓ25、…から成る法面保護シート体ｃ2′の組付けを完了する。
【０１１２】
以下、上述と同様な方法により法面保護シート２ｓｉｊを組み付け、堤防Ｔ′の斜面Ｔ1′上の必要な面積を法面保護シート２ｓｉｊにより覆うことができる。
【０１１３】
上記構成によれば、伸縮調整自在な安定棒ａnを、一の法面保護シートの裏面側の1対の下部安定棒ベルトｓbの安定棒挿通部ｓb1と、他の法面保護シートの外面側の上部安定棒ベルトｕbの安定棒挿通部ｕb1とを挿通させて、互いに連結する構成であるので、法面保護シート２ｓｉjが安定棒ａnにより確実に組み付けられ、強風が吹いても法面保護シートがまくれることが防止され、安定した設置ができる。
【０１１４】
また、安定棒ａnを伸縮調整することにより、法面保護シート２ｓｉj間の連結、および取り外しが容易かつ簡便に行え、作業性に優れる。
【０１１５】
また、安定棒ａnは、第１安定棒ａn1と第２安定棒ａn2とに分解することより短くすることが可能で、持ち運びおよび取り扱いに便利であり持ち運び性、取り扱い性に優れる。
【０１１６】
その他、実施例１と同様な構成からは、前述の実施例１と同様な作用効果が得られる。
【０１１７】
なお、上述の例では、最上部の法面保護シート２ｓ11、２ｓ21、…における各上部安定棒ベルトｕbには安定棒ａnを挿通しない場合を例示したが、安定棒ａnを挿通させて構成してもよい。
【０１１８】
また、実施例１と同様に、法面保護シート２ｓｉjは、上述の堤防Ｔ′以外のその他の様々な用途に適用可能である。
【産業上の利用可能性】
【０１１９】
本発明の活用例として、堤防、山肌等の防護、その他の台風、積雪による家屋の損壊等の災害の防止にも適用でき、土木用、養生用、積雪・台風等の気象災害用等、様々な用途に適用可能である。
【図面の簡単な説明】
【０１２０】
【図１】実施例１の法面保護シートを河川の堤防の防護に用いた例を示す斜視図。
【図２】図１のＡ部拡大図。
【図３】実施例１の法面保護シートの荷重ポケットを示す斜視図。
【図４】(ａ)および(ｂ)は、実施例１の法面保護シートを示す外面図および裏面図。
【図５】実施例１の法面保護シートを相互に連結する方法を示す一部切欠き斜視図。
【図６】実施例２の法面保護シートを河川の堤防の防護に用いた例を示す斜視図。
【図７】図６のＢ部拡大図。
【図８】図６のＣ部、Ｄ部の要部破断拡大図。
【図９】(ａ)および(ｂ)は、実施例２の法面保護シートを示す外面図および裏面図。
【図１０】実施例２の安定棒を示す正面図。
【図１１】実施例２における安定棒の法面保護シートへの取り付け状態を示す概念図。
【符号の説明】
【０１２１】
ａn…安定棒、
ａn1…第１安定棒、
ａn2…第２安定棒、
ａn3…安定棒継手、
ｈ1…ハトメ(取り付け部)、
ｐ、ｐ′…荷重ポケット(固定袋部)、
ｐ1、ｐ1′…開口、
ｐ2、ｐ2′…ポケット仕切り(留め部)、
ｓb…下部安定棒ベルト(連結部)、
ｓb1…安定棒挿通部(連結挿通部)、
ｓｉj、２ｓｉj…法面保護シート、
ｓｉjk、ｓｉjk′…重ね部(１側端部)、
Ｔ１、Ｔ３、Ｔ1′…斜面(法面)、
ｔ1…Ｔ型連接材(連結部、連結部材)、
ｔ2…連接ロープ(連結部)、
ｕb…上部安定棒ベルト(取り付け部)、
ｕb1…安定棒挿通部(取り付け挿通部)。
【図１】
2005036603.tif 000003
【図２】
2005036603.tif 000004
【図３】
2005036603.tif 000005
【図４】
2005036603.tif 000006
【図５】
2005036603.tif 000007
【図６】
2005036603.tif 000008
【図７】
2005036603.tif 000009
【図８】
2005036603.tif 000010
【図９】
2005036603.tif 000011
【図１０】
2005036603.tif 000012
【図１１】
2005036603.tif 000013